(57)【要約】【構成】携帯通信端末１０は、ＣＰＵ２８を含み、文字テーブルＴ１は、代表文字を含む複数の文字が各々のグループに属するように１０個のグループに分類された文字群を記憶する。代表ボタンＢ１〜Ｂ１２のいずれかに対する操作は、システムコントローラ３８によって検知される。ＣＰＵ２８は、１０個のグループにそれぞれ属する１０個の代表文字を代表ボタンＢ１〜Ｂ１０に１つずつ割り当てる。この割り当てに関連して得られたシステムコントローラ３８の検知結果に対応するグループが特定され、特定されたグループに属する１２個のメンバ文字が代表ボタンＢ１〜Ｂ１２に１つずつ割り当てられる。ＣＰＵ２８は、このような割り当てに関連して得られたシステムコントローラ３８の検知結果に対応する文字を入力文字として確定し、第１割り当て処理を再起動する。【効果】簡便に文字を入力することができる【選択図】図１
2008027264.tif 000002
【特許請求の範囲】
【請求項１】
複数のボタン、
代表文字を含む複数の文字が各々のグループに属するように複数のグループに分類された文字群を記憶する記憶手段、
前記複数のボタンのいずれか１つに対する操作を検知する第１検知手段、
前記複数のグループにそれぞれ属する複数の代表文字を前記複数のボタンに１つずつ割り当てる第１割り当て手段、
前記第１割り当て手段の割り当てに関連して得られた前記第１検知手段の検知結果に対応するグループを特定する第１特定手段、
前記第１特定手段によって特定されたグループに属する複数の文字を前記複数のボタンに１つずつ割り当てる第２割り当て手段、および
前記第２割り当て手段の割り当てに関連して得られた前記第１検知手段の検知結果に対応する文字を入力文字として確定して前記第１割り当て手段を再起動する再起動手段を備える、文字入力装置。
【請求項２】
前記複数のボタンを覆う接触センサ、
前記接触センサの押圧位置を検知する第２検知手段、
前記第２割り当て手段の割り当てに関連して得られた前記第２検知手段の検知結果に対する候補文字を特定する第２特定手段、および
前記候補文字をモニタに表示させる表示手段をさらに備える、請求項１記載の文字入力装置。
【請求項３】
前記第２割り当て手段によって割り当てられる複数の文字は前記候補文字を基準として昇順で並べられた複数の文字と候補文字を基準として降順で並べられた複数の文字とで形成される候補文字群に対応し、
前記第２割り当て手段によって前記複数のボタンに１つずつ割り当てられる複数の文字を前記第２検知手段の検知結果に応答して更新する更新手段をさらに備える、請求項２記載の文字入力装置。
【請求項４】
前記第２検知手段の検知結果が更新されなければ前記再起動手段によって確定される文字は前記代表文字と一致する、請求項３記載の文字入力装置。
【請求項５】
前記接触センサを押圧する位置が複数存在するか否かを判別する判別手段、および
前記判別手段の判別結果が肯定的であるとき前記第１検知手段を不能化させる不能化手段をさらに備える、請求項２ないし４のいずれかに記載の文字入力装置。
【請求項６】
前記複数のボタンは環状で配置される、請求項２ないし５のいずれかに記載の文字入力装置。
【請求項７】
複数のボタンおよび代表文字を含む複数の文字が各々のグループに属するように複数のグループに分類された文字群を記憶する記憶手段を備える文字入力装置のプロセサに、
前記複数のボタンのいずれか１つに対する操作を検知する第１検知ステップ、
前記複数のグループにそれぞれ属する複数の代表文字を前記複数のボタンに１つずつ割り当てる第１割り当てステップ、
前記第１割り当てステップの割り当てに関連して得られた前記第１検知ステップの検知結果に対応するグループを指定する指定ステップ、
前記指定ステップによって指定されたグループに属する複数の文字を前記複数のボタンに１つずつ割り当てる第２割り当てステップ、および
前記第２割り当てステップの割り当てに関連して得られた前記第１検知ステップの検知結果に対応する文字を入力文字として確定して前記第１割り当てステップを再起動する再起動ステップを実行させるための、動作制御プログラム。
【請求項８】
複数のボタンおよび代表文字を含む複数の文字が各々のグループに属するように複数のグループに分類された文字群を記憶する記憶手段を備える文字入力装置の動作制御方法であって、
前記複数のボタンのいずれか１つに対する操作を検知する第１検知ステップ、
前記複数のグループにそれぞれ属する複数の代表文字を前記複数のボタンに１つずつ割り当てる第１割り当てステップ、
前記第１割り当てステップの割り当てに関連して得られた前記第１検知ステップの検知結果に対応するグループを指定する指定ステップ、
前記指定ステップによって指定されたグループに属する複数の文字を前記複数のボタンに１つずつ割り当てる第２割り当てステップ、および
前記第２割り当てステップの割り当てに関連して得られた前記第１検知ステップの検知結果に対応する文字を入力文字として確定して前記第１割り当てステップを再起動する再起動ステップを含む、動作制御方法。
【発明の詳細な説明】
【技術分野】
【０００１】
この発明は、文字入力装置に関し、特にたとえば携帯通信端末に形成され、ユーザによる入力操作に応じて文字を作成する、文字入力装置に関する。
【背景技術】
【０００２】
従来のこの種の文字入力装置の一例が、特許文献１に開示されている。この従来技術によれば、代表スイッチが押下されると、押下された代表スイッチに対応する代表文字が属する文字クループが特定される。メンバスイッチの特定部位に触れると、触れた特定部位に対応するメンバ文字が特定される。
【特許文献１】特開２００２−３４２０１１号公報[G06F 3/023,H03M 11/04,11/08,H04M 1/02]
【発明の開示】
【発明が解決しようとする課題】
【０００３】
しかし、メンバ文字に濁点や半濁点が含まれる場合、この従来技術では、複数のメンバ文字をメンバスイッチに等間隔で割り当てるようにしているため、特定部位の検出が難しくなり、かえって操作性が悪くなる。また、代表文字に含まれる文字の種類が限定されるため、入力操作を複数回行う必要がある。このように、簡便な文字を入力することができていない。
【０００４】
それゆえに、この発明の主たる目的は、簡便に文字を入力することができる、文字入力装置を提供することである。
【課題を解決するための手段】
【０００５】
請求項１の発明は、複数のボタン(B1-B12)、代表文字を含む複数の文字が各々のグループに属するように複数のグループに分類された文字群を記憶する記憶手段(T1)、複数のボタンのいずれか１つに対する操作を検知する第１検知手段(S1,S5-S15)、複数のグループにそれぞれ属する複数の代表文字を複数のボタンに１つずつ割り当てる第１割り当て手段(S53)、第１割り当て手段の割り当てに関連して得られた第１検知手段の検知結果に対応するグループを特定する第１特定手段(S57)、第１特定手段によって特定されたグループに属する複数の文字を複数のボタンに１つずつ割り当てる第２割り当て手段(S59)、および第２割り当て手段の割り当てに関連して得られた第１検知手段の検知結果に対応する文字を入力文字として確定して第１割り当て手段を再起動する再起動手段(S65)を備える、文字入力装置(10)である。
【０００６】
請求項１の発明では、文字入力装置は、複数のボタンと記憶手段とを含む。記憶手段は、代表文字を含む複数の文字が各々のグループに属するように複数のグループに分類された文字群を記憶する。複数のボタンのいずれかに対する操作は、第１検知手段によって検知される。第１割り当て手段は、複数のグループにそれぞれ属する複数の代表文字を複数のボタンに１つずつ割り当てる。第１割り当て手段の割り当てに関連して得られた第１検知手段の検知結果に対応するグループは第１特定手段によって特定され、第１特定手段によって特定されたグループに属する複数の文字は第２割り当て手段によって複数のボタンに１つずつ割り当てられる。再起動手段は、第２割り当て手段の割り当てに関連して得られた第１検知手段の検知結果に対応する文字を入力文字として確定して第１割り当て手段を再起動する。
【０００７】
複数のボタンには最初、複数の代表文字が１つずつ割り当てられる。複数のボタンのいずれかに対する操作が検知されると、複数のボタンには、検知結果に対応するグループに属する複数の文字が割り当てられる。複数のボタンのいずれかに対する操作が続いて検知されると、この検知結果に対応する文字が入力文字として確定する。入力文字が確定すると、複数のボタンには、複数の代表文字が再び１つずつ割り当てられる。このように、複数のボタンに割り当てられる文字が循環的に変化することによって、簡便に文字を入力することができる。
【０００８】
請求項２の発明に従う文字入力装置は、請求項１に従属し、複数のボタンを覆う接触センサ(44a)、接触センサの押圧位置を検知する第２検知手段(S21~S33,S39,S41)、第２割り当て手段の割り当てに関連して得られた第２検知手段の検知結果に対する候補文字を特定する第２特定手段(S69)、および候補文字をモニタに表示させる表示手段(S71)をさらに備える。
【０００９】
請求項２の発明によれば、接触センサは複数のボタンは接触センサによって覆われる。第２検知手段は接触センサの押圧位置を検知し、第２特定手段は第２割り当て手段の割り当てに関連して得られた第２検知手段の検知結果に対する文字を候補文字として特定する。この候補文字は、表示手段によってモニタに表示される。つまり、複数のボタンを覆う接触センサの押圧位置に基づいてモニタに表示される候補文字が特定される。これによって、操作性が向上する。
【００１０】
請求項３の発明に従う文字入力装置は、請求項２に従属し、第２割り当て手段によって割り当てられる複数の文字は候補文字を基準として昇順で並べられた複数の文字と候補文字を基準として降順で並べられた複数の文字とで形成される候補文字群に対応し、第２検知手段の検知結果に応答して候補文字群を更新する更新手段(S75)をさらに備える。
【００１１】
請求項３の発明によれば、候補文字群が押圧位置に応答して更新されるため、操作性が向上する。
【００１２】
請求項４の発明に従う文字入力装置は、請求項３に従属し、第２検知手段の検知結果が更新されなければ再起動手段によって確定される文字は代表文字と一致する。
【００１３】
請求項４の発明によれば、第２検知手段の検知結果が更新されなければ、押圧位置が維持されているため、再起動手段によって確定される文字は代表文字と対応する。これによって、簡潔な入力操作を実現することができる。
【００１４】
請求項５の発明に従う文字入力装置は、請求項２ないし４のいずれかに従属し、接触センサを押圧する位置が複数存在するか否かを判別する判別手段(S35)、および判別手段の判別結果が肯定的であるとき第１検知手段を不能化させる不能化手段(S3,S37)をさらに備える。
【００１５】
請求項５の発明によれば、判別手段の判別結果が肯定的であるとき複数のボタンのいずれか１つに対する操作が誤って行われたと判断される。このため、第１検知手段の検知結果を不能化させる。この結果、誤動作を防止することができる。
【００１６】
請求項６の発明に従う文字入力装置は、請求項２ないし５のいずれかに従属し、複数のボタンは環状で配置される。
【００１７】
請求項６の発明によれば、複数のボタンが環状で配置されるため、複数のボタンを覆う接触センサも環状で配置される。この結果、複数のボタンに割り当てられる候補文字群を循環的に割り当てることができるため、操作性が向上する。
【００１８】
請求項７の発明は、複数のボタン(B1-B12)および代表文字を含む複数の文字が各々のグループに属するように複数のグループに分類された文字群を記憶する記憶手段(T1)を備える文字入力装置(10)のプロセサ(28)に、複数のボタンのいずれか１つに対する操作を検知する第１検知ステップ(S1,S5-S15)、複数のグループにそれぞれ属する複数の代表文字を複数のボタンに１つずつ割り当てる第１割り当てステップ(S53)、第１割り当てステップの割り当てに関連して得られた第１検知ステップの検知結果に対応するグループを特定する第１特定ステップ(S57)、第１特定ステップによって特定されたグループに属する複数の文字を複数のボタンに１つずつ割り当てる第２割り当てステップ(S59)、および第２割り当てステップの割り当てに関連して得られた第１検知ステップの検知結果に対応する文字を入力文字として確定して第１割り当てステップを再起動する再起動ステップ(S65)を実行させるための、動作制御プログラムである。
【００１９】
請求項８の発明は、複数のボタン(B1-B12)および代表文字を含む複数の文字が各々のグループに属するように複数のグループに分類された文字群を記憶する記憶手段(T1)を備える文字入力装置(10)の動作制御方法であって、複数のボタンのいずれか１つに対する操作を検知する第１.検知ステップ(S1,S5-S15)、複数のグループにそれぞれ属する複数の代表文字を複数のボタンに１つずつ割り当てる第１割り当てステップ(S53)、第１割り当てステップの割り当てに関連して得られた第１検知ステップの検知結果に対応するグループを特定する第１特定ステップ(S57)、第１特定ステップによって特定されたグループに属する複数の文字を複数のボタンに１つずつ割り当てる第２割り当てステップ(S59)、および第２割り当てステップの割り当てに関連して得られた第１検知ステップの検知結果に対応する文字を入力文字として確定して第１割り当てステップを再起動する再起動ステップ(S65)を含む、動作制御方法である。
【００２０】
請求項７および８についても、請求項１の発明と同様に、複数のボタンには最初、複数の代表文字が１つずつ割り当てられる。複数のボタンのいずれかに対する操作が検知されると、複数のボタンには、検知結果に対応するグループに属する複数の文字が割り当てられる。複数のボタンのいずれかに対する操作が続いて検知されると、この検知結果に対応する文字が入力文字として確定する。入力文字が確定すると、複数のボタンには、複数の代表文字が再び１つずつ割り当てられる。このように、複数のボタンに割り当てられる文字が循環的に変化することによって、簡便に文字を入力することができる。
【発明の効果】
【００２１】
この発明によれば、複数のボタンには最初、複数の代表文字が１つずつ割り当てられる。複数のボタンのいずれかに対する操作が検知されると、複数のボタンには、検知結果に対応するグループに属する複数の文字が割り当てられる。複数のボタンのいずれかに対する操作が続いて検知されると、この検知結果に対応する文字が入力文字として確定する。入力文字が確定すると、複数のボタンには、複数の代表文字が再び１つずつ割り当てられる。このように、複数のボタンに割り当てられる文字が循環的に変化することによって、簡便に文字を入力することができる。
【００２２】
この発明の上述の目的，その他の目的，特徴および利点は、図面を参照して行う以下の実施例の詳細な説明から一層明らかとなろう。
【発明を実施するための最良の形態】
【００２３】
図１を参照して、この発明の一実施例の携帯通信端末１０は、アンテナ１２を含む。相手方から送られてきた変調音声信号（高周波信号）は、アンテナ１２によって捉えられ、無線回路１４によって復調処理を施されるとともに、信号処理回路１６によって復号処理を施される。信号処理回路１６によって復号された音声データは、ＡＤ／ＤＡ変換回路１８によってアナログ音声信号に変換され、変換された音声信号は、アンプ２０を介してスピーカ２２から出力される。着呼操作つまりメニューボタン３６に形成された着信ボタンを押下する操作が行われると、通話可能状態となる。
【００２４】
一方、ホイールセンサ４０（後述）によって通話のための発呼操作が行われると、ＣＰＵ２８は、信号処理回路１６，無線回路１４およびアンテナ１２を通して、発呼信号を図示しない相手方の携帯通信端末に送信する。これに対して、相手方が着信操作を行うと、通話可能状態となる。
【００２５】
通話可能状態となった後にマイクロフォン２４によって取り込まれた音声信号は、アンプ２６によって増幅され、ＡＤ／ＤＡ変換回路１８によってディジタル信号である音声データに変換される。変換された音声データは、信号処理回路１６によって符号化処理を施され、さらに無線回路１４によって変調処理を施される。無線回路１４によって生成された変調音声信号は、アンテナ１２から発信される。
【００２６】
このようにして相手方との間で通話が行われている最中に、メニューボタン３６によって通話終了操作が行われると、ＣＰＵ２８は、信号処理回路１６および無線回路１４を制御して、相手方に通話終了信号を送信する。通話終了信号の送信後、ＣＰＵ２８は通話処理を終了する。また、先に相手方から通話終了信号を受信した場合も、ＣＰＵ２８は通話処理を終了する。こうして、通話機能が実現される。
【００２７】
図２（Ａ）および（Ｂ）を参照して、この実施例の携帯通信端末１０は、筐体４８を有する。筐体４８には、垂直方向を長辺とするＬＣＤ３２が設けられる。ＬＣＤ３２の水平方向の一方側には、スピーカ２２が設けられ、ＬＣＤ３２の水平方向の他方側には、マイクロフォン２４が設けられる。マイクロフォン２４とＬＣＤ３２との間には、ホイールセンサ４０が設けられる。
【００２８】
ホイールセンサ４０は、図３（Ａ）に示すように、ホイールセンサ４０の中央に配置された決定ボタン４２，決定ボタン４２を取り囲むように配置されたタッチセンサ４４ａ，およびタッチセンサ４４ａの直下に配置された１２個の代表ボタンＢ１〜Ｂ１２を有する。代表ボタンＢ１〜Ｂ１２は、タッチセンサ４４ａによって覆われる。タッチセンサ４４ａは複数の電極片によって形成され、複数の電極片の各々は電荷情報を有する。
【００２９】
図３（Ｂ）を参照して、点線Ａ−ＡＡの直下に位置する代表ボタンＢ１およびＢ７の各々は、ベース材４４ｄの下面と接する。正の電極を示すタッチセンサ４４ａと負の電極示すセンサ４４ｃとは、絶縁体４４ｂを挟んでタッチセンサ４４ａと直交した状態で配置される。センサ４４ｃは、ベース材４４ｄの上面に配置され、タッチセンサ４４ａと同様に決定ボタン４２を取り囲むように配置される。
【００３０】
図１に戻って、ホイールセンサ４０はＡ／Ｄ変換器４６を有し、Ａ／Ｄ変換器４６はレジスタ４６ａ〜４６ｃを含む。レジスタ４６ａが保持するレジスタ値は、決定ボタン４２に対応する。レジスタ４６ｂが保持する複数のレジスタ値はそれぞれ、代表ボタンＢ１〜Ｂ１２の各々に対応する。レジスタ４６ｃが保持する複数のレジスタ値はそれぞれ、タッチセンサ４４ａに形成される複数の電極片の各々に対応する。なお、レジスタ４６ａ〜４６ｃが保持するレジスタ値の各々には、予め“０”が割り当てられる。
【００３１】
決定ボタン４２が押下されると、決定ボタン４２に対応するキーステート信号がＨレベルに立ち上がる。Ａ／Ｄ変換器４６は、立ち上がったキーステート信号に応答してレジスタ４６ａのレジスタ値を“０”から“１”に変更する。決定ボタン４２の押下状態が解除されると、決定ボタン４２に対応するキーステート信号がＬレベルに立ち下がる。Ａ／Ｄ変換器４６は、立ち下がったキーステート信号に応答してレジスタ４６ａのレジスタ値を“１”から“０”に変更する。
【００３２】
システムコントローラ３８は、レジスタ４６ａからレジスタ値を取り込む。取り込んだレジスタ値が“１”を示すとき、システムコントローラ３８は、決定ボタン４２が押下された旨の通知をＣＰＵ２８に通知する。また、取り込んだレジスタ値が“０”を示すとき、システムコントローラ３８は、決定ボタン４２の押下が解除された旨の通知をＣＰＵ２８に通知する。こうして、決定ボタン４２の押下状態がシステムコントローラ３８によって検知される。
【００３３】
押下操作つまりユーザが代表ボタンＢ１〜Ｂ１２のうちいずれか１つを押下する操作が行われると、押下操作に基づくキーステート信号がＨレベルに立ち上がり、立ち上がったキーステート信号に応じてレジスタ４６ｂのレジスタ値が“０”から“１”に変わる。押下操作による押下状態が解除されると、押下操作に基づくキーステート信号がＬレベルに立ち下がり、立ち下がったキーステート信号に応じてレジスタ４６ｂのレジスタ値が“１”から“０”に変わる。
【００３４】
システムコントローラ３８は、レジスタ４６ｂからレジスタ値を取り込む。取り込んだレジスタ値の中に“１”が含まれると、システムコントローラ３８は、押下操作に基づくボタン識別情報を生成する。生成されたボタン識別情報は、システムコントローラ３８に形成されるメモリ３８ｍに保存されるとともに、ＣＰＵ２８に通知される。一方、取り込んだレジスタ値が全て“０”のとき、メモリ３８ｍに保存されたボタン識別情報はリセットされる。こうして、押下操作に基づく代表ボタンＢ１〜Ｂ１２の押下状態がシステムコントローラ３８によって検知される。
【００３５】
なお、ボタン識別情報が生成される以前にメモリ３８ｍに保存されたボタン識別情報と生成されたボタン識別情報とが一致すると、押下操作によって押下された代表ボタンＢ１〜Ｂ１２のいずれか１つが維持されているとみなされる。このため、一致するボタン識別情報は通知されない。
【００３６】
タッチセンサ４４ａの電極片の一部（図４（Ａ）の斜線部）が押圧されると、この押圧位置のタッチセンサ４４ａとセンサ４４ｃとの間の電荷量が低下する。すると、電荷量が低下した電極片に応じてレジスタ４６ｃのレジスタ値が“０”から“１”に変化する。なお、タッチセンサ４４ａが押圧された最初の位置を初期位置と定義する。
【００３７】
また、回転操作つまりタッチセンサ４４ａの押圧位置を移動させる操作が行われると、移動後の押圧位置（図４（Ｂ）参照）に対応するレジスタ値の一部が“０”から“１”に遷移する一方、初期位置に対応するレジスタ値の一部が“１”から“０”に遷移する。なお、回転操作による押圧状態が解除されたとき、レジスタ４６ｃのレジスタ値は全て“０”を示す（図４（Ｃ）参照）。なお、回転操作によって初期位置から移動したタッチセンサ４４ａの押圧位置を終点位置と定義する。
【００３８】
システムコントローラ３８は、レジスタ４６ｃからレジスタ値を取り込む。取り込んだレジスタ値の中に“１”が含まれると、システムコントローラ３８は、“１”を示すレジスタ値に対応する電極片の位置を押圧位置とみなし、回転操作に基づく押圧位置情報を生成する。生成された押圧位置情報は、メモリ３８ｍに保存されるとともに、ＣＰＵ２８に通知される。一方、取り込んだレジスタ値が全て“０”のとき、システムコントローラ３８は、メモリ３８ｍに保存されたボタン識別情報をリセットするとともに、解除情報を生成し、生成された解除情報をＣＰＵ２８に通知する。こうして、押下操作に起因する初期位置と回転操作による終点位置とに基づくタッチセンサ４４ａの押圧状態がシステムコントローラ３８によって検知される。
【００３９】
ＣＰＵ２８の動作モードには、文書作成モードが含まれる。選択操作つまりユーザが動作モードとして文書作成モードを選択する操作が行われると、フラッシュメモリ３４に格納された文字テーブルＴ１がＣＰＵ２８に形成されるメモリ２８ｍに読み出される。
【００４０】
文字テーブルＴ１は、図５に示すように、代表文字を含む複数の文字が各々のグループに属するように複数のグループに分類された文字群を記憶する。つまり、複数のグループの各々は、平仮名の大文字，平仮名の小文字，カタカナの大文字，カタカナの小文字，アルファベットの大文字，アルファベットの小文字および数字によって形成されるメンバ文字と複数のグループの各々を代表する代表文字とを有する。また、文字テーブルＴ１のカラムには、参照番号が含まれる。この参照番号は１０個のグループによって形成され、１０個のグループにそれぞれ属する１０個の代表文字（あ〜わ）が代表ボタンＢ１〜Ｂ１０に１つずつ割り当てられる。
【００４１】
文字テーブルＴ１がメモリ２８ｍに読み出されると、上述に示すように、代表ボタンＢ１〜Ｂ１０に１０個の代表文字が１つずつ割り当てられる。代表ボタンＢ１〜Ｂ１０のいずれかが押下されると、この押下操作に基づくボタン識別情報がＣＰＵ２８に通知される。ＣＰＵ２８は、通知されたボタン識別情報に従って注目するグループを特定し、特定されたグループに属する代表文字と１１個のメンバ文字とを代表ボタンＢ１〜Ｂ１２に１つずつ割り当てる。
【００４２】
このとき、押下操作に対応するグループの代表文字がＬＣＤ３２に表示される。具体的には、システムコントローラ３８は、レジスタ４６ｃから取り込んだレジスタ値に基づく押圧位置情報を生成し、生成された押圧位置情報をＣＰＵ２８に通知する。ＣＰＵ２８は、押圧位置情報に従って注目するメンバ文字を候補文字として特定する。ＣＰＵ２８はまた、候補文字をＬＣＤ３２に表示するべく、この代表文字に対応するキャラクタデータを表示させる命令をＬＣＤドライバ３０に与える。ＬＣＤドライバ３０は、与えられた表示命令に従ってキャラクタデータとＬＣＤ３２に表示中の映像データとを合成し、これによって得られる合成データをＬＣＤ３２に出力する。この結果、押下操作に起因する候補文字がＬＣＤ３２に表示される。これによって、操作性が向上する。
【００４３】
回転操作が時計回りで行われた場合、図６（Ａ）に示すように、平仮名の大文字→平仮名の小文字→カタカナの大文字→カタカナの小文字→アルファベットの大文字→アルファベットの小文字→数字→平仮名の大文字の順でメンバ文字が注目される。また、回転操作が反時計回りで行われた場合、図６（Ｂ）に示すように、平仮名の大文字→数字→アルファベットの小文字→アルファベットの大文字→カタカナの小文字→カタカナの大文字→平仮名の小文字→平仮名の大文字の順でメンバ文字が注目される。つまり、回転操作に起因する初期位置から終点位置までの回転角度に応じてメンバ文字が変更され、変更されたメンバ文字が候補文字として指定される。
【００４４】
ここで、押圧位置が複数存在すると、システムコントローラ３８は、代表ボタンＢ１〜Ｂ１２への押下操作が誤って行われたと判断する。このため、システムコントローラ３８は、ボタン識別情報を不能化させるべく、ボタン識別情報の通知を拒否に設定する。これによって、このときのボタン識別情報がＣＰＵ２８に通知されないため、誤作動を防止することができる。なお、押圧位置が複数存在するか否かは、押圧位置情報によって判別される。たとえば、レジスタ４６ｃのレジスタ値を形成する“１”の数が既定値を上回ると、ホイールセンサ４０が誤って操作されたものとみなされる。
【００４５】
ＬＣＤ３２に表示中の候補文字に対して押下操作が行われると、ＣＰＵ２８は、候補文字を入力文字として確定し、１０個のグループにそれぞれ属する１０個の代表文字を代表ボタンＢ１〜Ｂ１０に再び１つずつ割り当てる。ＣＰＵ２８に形成されるメモリ２８ｍには、候補文字に関連する文字コードが登録される。
【００４６】
したがって、最初のボタン識別情報によって参照番号を注目するグループが決まり、押圧位置情報によってメンバ文字の中から候補文字が決まる。候補文字が表示されてからボタン識別情報が与えられると、候補文字が入力文字として確定する。これによって、簡便に文字を入力することができる。
【００４７】
ＣＰＵ２８の動作モードが文書作成モードのときにホイールセンサ４０を用いて“てんぷら３”を入力する動作について、図７（Ａ）〜（Ｃ）および図８（Ａ）〜（Ｇ）を参照して説明する。
【００４８】
代表ボタンＢ１〜Ｂ１２には最初、図７（Ａ）に示すように、１０個のグループにそれぞれ属する１０個の代表文字（あ〜わ）が代表ボタンＢ１〜Ｂ１０に１つずつ割り当てられる。具体的には、代表ボタンＢ１には平仮名の“あ”が割り当てられ、代表ボタンＢ２には平仮名の“か”が割り当てられ、代表ボタンＢ３には平仮名の“さ”が割り当てられ、代表ボタンＢ４には平仮名の“た”が割り当てられ、代表ボタンＢ５には平仮名の“な”が割り当てられ、代表ボタンＢ６には平仮名の“は”が割り当てられ、代表ボタンＢ７には平仮名の“ま”が割り当てられ、代表ボタンＢ８には平仮名の“や”が割り当てられ、代表ボタンＢ９には平仮名の“ら”が割り当てられ、そして代表ボタンＢ１０には平仮名の“わ”が割り当てられる。
【００４９】
図８（Ａ）を参照して、平仮名の“て”を入力するべく、“て”が属するグループに対応する代表ボタンＢ４を押下すると、代表ボタンＢ４に対応するレジスタ値が“０”から“１”に変わる。システムコントローラ３８は、レジスタ４６ｂのレジスタ値を取り込み、取り込んだレジスタ値からボタン識別情報を生成し、生成されたボタン識別情報をメモリ３８ｍに保存するとともに、生成されたボタン識別情報をＣＰＵ２８に通知する。ＣＰＵ２８は、このボタン識別情報に従ってグループの中から“４”を特定する。
【００５０】
このとき、代表ボタンＢ１〜Ｂ１２には、図７（Ｂ）に示すように、“て”が属するグループに含まれる１２個のメンバ文字が１つずつ割り当てる。具体的には、代表ボタンＢ１にはアルファベット小文字の“ｋ”が割り当てられ、代表ボタンＢ２にはアルファベット小文字の“ｌ”が割り当てられ、代表ボタンＢ３には数字の“４”が割り当てられ、代表ボタンＢ４には代表文字の“た”が割り当てられ、代表ボタンＢ５には平仮名の“ち”が割り当てられ、代表ボタンＢ６には平仮名の“つ”が割り当てられ、代表ボタンＢ７には平仮名の“て”が割り当てられ、代表ボタンＢ８には平仮名の“と”が割り当てられ、代表ボタンＢ９には平仮名（濁点）の“だ”が割り当てられ、代表ボタンＢ１０には平仮名（濁点）の“ぢ”が割り当てられ、代表ボタンＢ１１にはアルファベット大文字の“Ｌ”が割り当てられ、代表ボタンＢ１２にはアルファベット小文字の“ｊ”が割り当てられる。
【００５１】
つまり、候補文字を基準とする昇順に並べられた６つのメンバ文字が押圧位置の順方向（時計回り）に配置される６つの代表ボタンに１つずつ割り当てられ、候補文字を基準とする降順に並べられた５つのメンバ文字が押圧位置の逆方向（反時計回り）に配置される５つの代表ボタンに１つずつ割り当てられる。換言すると、押圧位置情報が通知されたときに割り当てられるメンバ文字は候補文字を基準として昇順で並べられた６つのメンバ文字と候補文字を基準として降順で並べられた５つのメンバ文字とで形成される候補文字群に対応する。
【００５２】
図８（Ａ）に戻って、押下操作に起因する押圧位置に対応するレジスタ４６ｃのレジスタ値が“０”から“１”に変わる。システムコントローラ３８は、レジスタ４６ｃのレジスタ値を取り込み、取り込んだレジスタ値から押圧位置情報を生成し、生成された押圧位置情報をメモリ３８ｍに上書きするともに、生成された押圧位置情報をＣＰＵ２８に通知する。
【００５３】
ＣＰＵ２８は、押圧位置情報に従って“て”が属するグループに含まれる“た”を候補文字として特定する。ＣＰＵ２８はまた、特定された“た”を候補文字としてＬＣＤ３２に表示するべく、特定された“た”に対応するキャラクタデータを表示させる命令をＬＣＤドライバ３０に与える。この結果、候補文字として“た”が表示される。つまり、代表ボタンＢ１〜Ｂ１２を覆うタッチセンサ４４ａの押圧位置に基づいてＬＣＤ３２に表示される候補文字が特定される。これによって、操作性が向上する。
【００５４】
図８（Ａ）の矢印で示す位置まで回転操作が行われると、代表ボタンＢ４の押下状態が解除されるため、代表ボタンＢ４に対応するレジスタ値が“１”から“０”に変わる。また、回転操作に起因する押圧位置に対応するレジスタ４６ｃのレジスタ値が“０”から“１”に遷移する。システムコントローラ３８は、回転操作に基づく押圧位置情報をＣＰＵ２８に通知する。
【００５５】
押圧位置情報が検知されると、ＣＰＵ２８は、この押圧位置情報に従って“て”が属するグループに含まれる“ち”を候補文字として特定する。特定された“ち”に対応するキャラクタデータがＬＣＤドライバ３０に与えられ、ＬＣＤ３２に平仮名の“ち”が候補文字として表示される。ＣＰＵ２８はまた、代表ボタンＢ１〜Ｂ１２に割り当てられる候補文字群を更新する。
【００５６】
このとき、代表ボタンＢ１〜Ｂ１２には、図８（Ｃ）に示すように、候補文字の“ち”を基準とする１２個のメンバ文字が割り当てる。具体的には、代表ボタンＢ１にはアルファベット小文字の“ｋ”が割り当てられ、代表ボタンＢ２にはアルファベット小文字の“ｉ”が割り当てられ、代表ボタンＢ３には数字の“４”が割り当てられ、代表ボタンＢ４には平仮名の“た”が割り当てられ、代表ボタンＢ５には平仮名の“ち”が割り当てられ、代表ボタンＢ６には平仮名の“つ”が割り当てられ、代表ボタンＢ７には平仮名の“て”が割り当てられ、代表ボタンＢ８には平仮名の“と”が割り当てられ、代表ボタンＢ９には平仮名（濁点）の“だ”が割り当てられ、代表ボタンＢ１０には平仮名（濁点）の“ぢ”が割り当てられ、代表ボタンＢ１１には平仮名（濁点）の“づ”が割り当てられ、代表ボタンＢ１２にはアルファベット小文字の“ｊ”が割り当てられる。このように候補文字群が押圧位置に応答して更新されるため、操作性が向上する。
【００５７】
ここで、代表ボタンＢ１〜Ｂ１２が環状で配置されるため、代表ボタンＢ１〜Ｂ１２を覆うタッチセンサ４４ａも環状で配置される。この結果、回転操作によって押圧位置情報が更新されるため、代表ボタンＢ１〜Ｂ１２に割り当てられる候補文字群を循環的に割り当てることができる。これによって、操作性が向上する。
【００５８】
このような回転操作が行われた後に図８（Ｂ）の矢印の終端の位置で押下操作が行われると、代表ボタンＢ７に対応するレジスタ値が“０”から“１”に変わる。システムコントローラ３８は、レジスタ４６ｂのレジスタ値を取り込み、取り込んだレジスタ値に基づくボタン識別情報を生成する。ここで、生成されたボタン識別情報がメモリ３８ｍに保存されたボタン識別情報と異なるため、生成されたボタン識別情報をＣＰＵ２８に通知するともに、メモリ３８ｍに保存されたボタン識別情報を生成されたボタン識別情報に更新する。ＣＰＵ２８は、通知されたボタン識別情報からＬＣＤ３２に表示された候補文字の“て”を入力文字として確定し、１０個のグループにそれぞれ属する１０個の代表文字を代表ボタンＢ１〜Ｂ１０に再び１つずつ割り当てる。この結果、確定された入力文字によって形成される入力文字群に“て”が決まる。
【００５９】
次に、平仮名の“ん”を入力するべく、“ん”が属するグループに対応する代表ボタンＢ１０が押下されると、上述と同様の処理が実行され、メンバ文字の“わ”が候補文字としてＬＣＤ３２に表示される。図８（Ｃ）の矢印で示す位置まで回転操作が行われると、“わ”が属するグループに含まれる平仮名の“ん”が候補文字としてＬＣＤ３２に表示される。図８（Ｃ）に示す矢印の終端の位置で押下操作が行われると、候補文字の“ん”が入力文字として確定される。この結果、入力文字群に“てん”が決まる。
【００６０】
また、平仮名の“ぷ”を入力するべく、“ぷ”が属するグループに対応する代表ボタンＢ６が押下されると、上述と同様の処理が実行され、メンバ文字の“は”がＬＣＤ３２に表示される。図８（Ｄ）の矢印で示す位置まで回転操作が行われると、“は”が属するグループに含まれる“ぱ”が候補文字としてＬＣＤ３２に表示される。続いて、図８（Ｅ）の矢印で示す位置まで回転操作が行われると、“ぱ”が属するグループに含まれる“ぷ”が候補文字としてＬＣＤ３２に表示される。図８（Ｅ）に示す矢印の終端の位置で押下操作が行われると、候補文字の“ぷ”が入力文字として確定される。この結果、確定文字群として“てんぷ”が決まる。
【００６１】
さらに、平仮名の“ら”を入力するべく、“ら”が属するグループに対応する代表ボタンＢ９が押下されると、上述と同様の処理が実行され、メンバ文字の“ら”が候補文字としてＬＣＤ３２に表示される。図８（Ｆ）に示す位置で押下操作が行われると、候補文字の“ら”が入力文字として確定される。この結果、確定文字群として“てんぷら”が決定される。
【００６２】
ここで、押圧位置情報が更新されないとき、押圧位置が維持されているため、候補文字は代表文字と一致する。たとえば、ダブルクリックのような押圧位置が同じ位置で任意の代表ボタン押下する操作が行われると、代表文字が入力文字として確定される。これによって、簡潔な入力操作を実現することができる。
【００６３】
さらにまた、数字の“３”を入力するべく、“３”が属するグループに対応する代表ボタンＢ３が押下されると、メンバ文字として“さ”がＬＣＤ３２に表示される。図８（Ｇ）の矢印で示す位置まで回転操作が行われると、“さ”が属するグループに含まれる“３”が候補文字としてＬＣＤ３２に表示される。図８（Ｇ）に示す矢印の終端の位置で押下操作が行われると、候補文字の“３”が確定文字としてメモリ２８ｍに登録される。この結果、入力文字として“てんぷら３”が決定される。
【００６４】
システムコントローラ３８は、押下操作に関連して図９に示すフロー図の制御を実行し、回転操作に関連して図１０に示すフロー図の制御を実行する。なお、このフローに対応する制御プログラムは、フラッシュメモリ３４に記憶される。
【００６５】
図９を参照して、ステップＳ１でメモリ３８ｍに保存されたボタン識別情報をリセットし、ステップＳ３でボタン識別情報の通知が拒否されているか否かを判別する。ボタン識別情報の通知が拒否されていれば、ステップＳ１に戻る一方、ボタン識別情報の通知が許可されていれば、ステップＳ５でレジスタ４６ｂからレジスタ値を取り込む。ステップＳ７では、取り込んだレジスタ値がすべて“０”であるか否かを判別する。判別結果が肯定的であれば、押下状態が解除されたとみなし、ステップＳ１に戻る。
【００６６】
判別結果が否定的であれば、ステップＳ９で取り込んだレジスタ値からボタン識別情報を生成する。ステップＳ１１では、メモリ３８ｍに保存されたボタン識別情報と生成されたボタン識別情報とが一致するか否かを判別する。判別結果が否定的であれば、押下操作によって押下された代表ボタンＢ１〜Ｂ１２のいずれか１つが維持されているとみなし、ステップＳ３に戻る。判別結果が肯定的であれば、ステップＳ１３で生成されたボタン識別情報をＣＰＵ２８に通知し、ステップＳ１５で更新処理を実行し、ステップＳ１に戻る。更新処理では、メモリ３８ｍに保存されたボタン識別情報が生成されたボタン識別情報に上書きされる。こうして、代表ボタンＢ１〜Ｂ１２のいずれか１つに対する押下操作が検知される。
【００６７】
図１０によれば、ステップＳ２１でメモリ３８ｍに保存された押圧位置情報をリセットし、ステップＳ２３でレジスタ４６ｃからレジスタ値を取り込む。ステップＳ２５では、取り込んだレジスタ値がすべて“０”であるか否かを判別する。判別結果が肯定的であれば、押圧状態が解除されたとみなし、ステップＳ２７で取り込んだレジスタ値から解除情報を生成し、ステップＳ２９で生成された解除情報をＣＰＵ２８に通知し、ステップＳ２１に戻る。
【００６８】
判別結果が否定的であれば、ステップＳ３１で取り込んだレジスタ値から押圧位置情報を生成し、ステップＳ３３でメモリ３８ｍに保存された押圧位置情報と生成された押圧位置情報とが一致するか否かを判別する。判別結果が肯定的であれば、押下操作によって押下された代表ボタンＢ１〜Ｂ１２のいずれか１つが維持されているとみなし、ステップＳ２１に戻る。判別結果が否定的であれば、ステップＳ３５で押圧位置が複数存在するか否かを判別する。
【００６９】
押圧位置が複数存在すれば、ステップＳ３７でボタン識別情報を通知拒否に設定し、ステップＳ２３に戻る。一方、押圧位置が複数存在しなければ、ステップＳ３９で生成された押圧位置情報をＣＰＵ２８に通知し、ステップＳ４１で更新処理を実行し、ステップＳ２１に戻る。更新処理では、メモリ３８ｍに保存されたボタン識別情報が生成されたボタン識別情報に上書きされる。こうして、押下操作に起因するタッチセンサ４４ａの初期位置と回転操作による終点位置とに基づくタッチセンサ４４ａの押圧状態が検知される。
【００７０】
ＣＰＵ２８は、μＩＴＲＯＮのようなマルチタスクＯＳを搭載したマルチタスクＣＰＵであり、文書作成モードに関連して図１１に示すフロー図の制御を実行する。なお、このフローに対応する制御プログラムは、フラッシュメモリ３４に記憶される。
【００７１】
図１１を参照して、ステップＳ５１では、フラッシュメモリ３４から文字テーブルＴ１を読み出し、ステップＳ５３で第１割り当て処理を実行する。つまり、１０個のグループにそれぞれ属する１０個の代表文字を代表ボタンＢ１〜Ｂ１０に１つずつ割り当てる。ステップＳ５５では、システムコントローラ３８からボタン識別情報が通知されるまで待機する。ボタン識別情報が通知されると、ステップＳ５７で通知されたボタン識別情報に従って注目するグループを特定し、ステップＳ５９で第２割り当て処理を実行する。つまり、特定されたグループに属する１２個のメンバ文字を代表ボタンＢ１〜Ｂ１２に１つずつ割り当てる。
【００７２】
ステップＳ６１では、解除情報が通知されたか否かを判別する。解除情報が通知されると、入力文字を再度選択するべく、ステップＳ５３に戻る。一方、解除情報が通知されなければ、ステップＳ６３でボタン識別情報が通知されたか否かを判別する。ボタン識別情報が通知されると、ステップＳ６５で再起動処理を実行し、ステップＳ５３に戻る。再起動処理では、ＬＣＤ３２に表示中の候補文字を入力文字として確定し、１０個のグループにそれぞれ属する１０個の代表文字を代表ボタンＢ１〜Ｂ１０に再び１つずつ割り当てる。なお、確定された入力文字に対応する文字コードはメモリ２８ｍに記憶される。
【００７３】
一方、ボタン識別情報が通知されなければ、ステップＳ６７で押圧位置情報が通知されたか否かを判別する。判別結果が否定的であれば、システムコントローラ３８から与えられる通知に応答するべく、ステップＳ６１に戻る。一方、判別結果が肯定的であれば、ステップＳ６９で押圧位置情報に従って注目するメンバ文字を候補文字として特定し、ステップＳ７１で候補文字をＬＣＤ３２に表示させる命令をＬＣＤドライバ３０に与える。この結果、押圧位置に基づく候補文字がＬＣＤ３２に表示される。
【００７４】
ステップＳ７３では、候補文字群を押圧位置情報に応じて更新し、システムコントローラ３８から与えられる通知に応答するべく、ステップＳ６１に戻る。この結果、操作性が向上する。
【００７５】
以上の説明から分かるように、携帯通信端末１０は、代表ボタンＢ１〜Ｂ１２と文字テーブルＴ１とを含む。文字テーブルＴ１は、代表文字を含む複数の文字が各々のグループに属するように１０個のグループに分類された文字群を記憶する。代表ボタンＢ１〜Ｂ１２のいずれかに対する操作は、システムコントローラ３８によって検知される。ＣＰＵ２８は、１０個のグループにそれぞれ属する１０個の代表文字を代表ボタンＢ１〜Ｂ１０に１つずつ割り当てる。この割り当てに関連して得られたシステムコントローラ３８の検知結果に対応するグループが特定され、特定されたグループに属する１２個のメンバ文字が代表ボタンＢ１〜Ｂ１２に１つずつ割り当てられる。ＣＰＵ２８は、このような割り当てに関連して得られたシステムコントローラ３８の検知結果に対応する文字を入力文字として確定し、第１割り当て処理を再起動する。
【００７６】
代表ボタンＢ１〜Ｂ１０には最初、１０個の代表文字が１つずつ割り当てられる。１０個の代表ボタンＢ１〜Ｂ１０のいずれかに対する操作が検知されると、代表ボタンＢ１〜Ｂ１２には、検知結果に対応するグループに属する１２個のメンバ文字が割り当てられる。１２個の代表ボタンＢ１〜Ｂ１２のいずれかに対する操作が続いて検知されると、この検知結果に対応するメンバ文字が入力文字として確定する。入力文字が確定すると、代表ボタンＢ１〜Ｂ１０には、１０個の代表文字が再び１つずつ割り当てられる。このように、代表ボタンＢ１〜Ｂ１２に割り当てられる文字が循環的に変化することによって、簡便に文字を入力することができる。
【００７７】
なお、この実施例では、文字を入力方法としてメニューボタン３６およびホイールセンサ４０によって構成されると説明した。これに限らず、図１２（Ａ）に示すように、折り畳み式の携帯端末１０の下部筐体５２に、テンキー５４をさらに設けることも可能である。この結果、操作性が向上する。また、図１２（Ｂ）に示すように、折り畳み式の携帯端末１０の上部筐体５０の背面側に設けられたサブＬＣＤ５６の周辺にホイールセンサ４０を設けることも可能である。この結果、操作性が向上する。
【００７８】
また、この実施例では、回転操作に起因する更新処理によって割り当てられる代表ボタンＢ１〜Ｂ１２に割り当てられるメンバ文字を昇順に６個および降順に５個として説明したが、メンバ文字の割り当てはこれに限られない。
【００７９】
さらに、この実施例では、押下操作に起因する初期位置から回転操作に起因する終点位置までの回転角度に応じてメンバ文字が更新されると説明した。これに限らず、回転操作に起因する回転速度に応じてメンバ文字に属する文字モードを読み飛ばすことにより、操作性を向上させることも可能である。
【００８０】
なお、この実施例では、代表ボタンＢ１〜Ｂ１２への操作について押下操作を用いて説明したが、代表ボタンＢ１〜Ｂ１２への操作はこれに限られない。
【００８１】
また、この実施例では、タッチセンサ４４ａの中央に決定ボタン４２を設けるように説明したが、これに限らず、決定ボタン４２に相当するボタンをタッチセンサ４４ａが設置された位置と重複しない位置に設けることにより、中央部が埋められた円状のタッチセンサを採用することも可能である。
【００８２】
さらに、この実施例では、図３（Ａ）で示すように環状のタッチセンサ４４ａを用いて説明したが、タッチセンサ４４ａの形態はこれに限られない。例えば、矩形，三角形および扇形等のタッチセンサを採用することも可能である。
【図面の簡単な説明】
【００８３】
【図１】この発明の一実施例の構成を示すブロック図である。
【図２】（Ａ）は図１実施例に適用される携帯通信端末の正面図であり、（Ｂ）は図１実施例に適用される携帯通信端末の背面図である。
【図３】（Ａ）は図１実施例に適用されるホイールセンサの上面図であり、（Ｂ）は図１実施例に適用されるホイールセンサの断面図である。
【図４】（Ａ）は図１実施例に適用されるホイールセンサおよびレジスタ値の一例を示す図解図であり、（Ｂ）は図１実施例に適用されるホイールセンサおよびレジスタ値の他の一例を示す図解図であり、（Ｃ）は図１実施例に適用されるホイールセンサおよびレジスタ値のその他の一例を示す図解図である。
【図５】この実施例に適用される文字テーブルＴ１の一例を示す図解図である。
【図６】（Ａ）は図１実施例に適用されるＬＣＤの動作の一例を示す図解図であり、（Ｂ）は図１実施例に適用されるＬＣＤの他の動作の一例を示す図解図である。
【図７】（Ａ）は図１実施例に適用されるホイールセンサの動作の一例を示す図解図であり、（Ｂ）は図１実施例に適用されるホイールセンサの動作の他の一例を示す図解図であり、（Ｃ）は図１実施例に適用されるホイールセンサの動作のその他の一例を示す図解図である。
【図８】（Ａ）は図１実施例に適用されるホイールセンサおよびＬＣＤの動作の一例を示す図解図であり、（Ｂ）は図１実施例に適用されるホイールセンサおよびＬＣＤの他の動作の一例を示す図解図であり、（Ｃ）は図１実施例に適用されるホイールセンサおよびＬＣＤのその他の動作の一例を示す図解図であり、（Ｄ）は図１実施例に適用されるホイールセンサおよびＬＣＤのさらにその他の動作の一例を示す図解図であり、（Ｅ）は図１実施例に適用されるホイールセンサおよびＬＣＤの他の動作の一例を示す図解図であり、（Ｆ）は図１実施例に適用されるホイールセンサおよびＬＣＤのその他の動作の一例を示す図解図であり、（Ｇ）は図１実施例に適用されるホイールセンサおよびＬＣＤのさらにその他の動作の一例を示す図解図である。
【図９】図１実施例に適用されるシステムコントローラの動作の一部を示すフロー図である。
【図１０】図１実施例に適用されるシステムコントローラの他の動作の一部を示すフロー図である。
【図１１】図１実施例に適用されるＣＰＵ２８の動作の一部を示すフロー図である。
【図１２】（Ａ）は他の実施例に適用される携帯通信端末の一例を示す図解図であり、（Ｂ）はその他の実施例に適用される携帯通信端末の他の一例を示す図解図である。
【符号の説明】
【００８４】
１０  …  携帯通信端末
２８  …  ＣＰＵ
３０  …  ＬＣＤドライバ
３８  …  システムコントローラ
４０  …  ホイールセンサ
４４ａ  …  タッチセンサ
Ｂ１〜Ｂ１２  …  代表ボタン
【図１】
2008027264.tif 000003
【図２】
2008027264.tif 000004
【図３】
2008027264.tif 000005
【図４】
2008027264.tif 000006
【図５】
2008027264.tif 000007
【図６】
2008027264.tif 000008
【図７】
2008027264.tif 000009
【図８】
2008027264.tif 000010
【図９】
2008027264.tif 000011
【図１０】
2008027264.tif 000012
【図１１】
2008027264.tif 000013
【図１２】
2008027264.tif 000014